(57)【特許請求の範囲】
【請求項１】
測定した生体情報を記録紙に印刷する医療用測定装置において、
装置本体に、下方から導入される記録紙の幅方向に沿って配置された印刷ヘッドと、
前記印刷ヘッドに対して前記装置本体の一側方で対向するとともに前記印刷ヘッドに接触離間自在に配置され、前記印刷ヘッドとの間に前記記録紙を挟んだ状態で回転することで、前記印刷ヘッドにより前記生体情報が印刷された前記記録紙を送り出すプラテンローラーと、
を有し、
前記生体情報が印刷された前記記録紙が排出される天面を有し、前記装置本体に対して前記一側方にスライド移動自在に設けられた移動体を備え、
前記プラテンローラーは、前記移動体に設けられ、前記移動体の前記一側方への前記スライド移動により、前記天面とともに前記印刷ヘッドから前記一側方にスライドして離間する、
医療用測定装置。
【請求項２】
前記天面は、フラットなライティングテーブルである、
請求項１記載の医療用測定装置。
【請求項３】
測定した生体情報を記録紙に印刷する医療用測定装置において、
装置本体に、下方から導入される記録紙の幅方向に沿って配置された印刷ヘッドと、
前記印刷ヘッドに対して前記装置本体の一側方で対向するとともに前記印刷ヘッドに接触離間自在に配置され、前記印刷ヘッドとの間に前記記録紙を挟んだ状態で回転することで、前記印刷ヘッドにより前記生体情報が印刷された前記記録紙を送り出すプラテンローラーと、
前記プラテンローラーが前記印刷ヘッドと前記記録紙を挟持可能な位置で前記プラテンローラーを前記装置本体にロックするロック機構部と、
前記生体情報が印刷された前記記録紙が排出される天面を有し、前記装置本体に対して前記一側方に移動自在に設けられた移動体と、を備え、
前記プラテンローラーは、前記移動体に設けられ、前記移動体の前記一側方への移動により、前記天面とともに前記印刷ヘッドから前記一側方に離間し、
前記ロック機構部は、前記プラテンローラーの両端部を支持するとともに前記移動体に固定して前記プラテンローラーを前記移動体に取り付けるプラテン支持部材と、
前記装置本体側に設けられ、前記プラテンローラーが前記挟持可能な位置に位置した際に前記プラテン支持部材に係合可能なラッチ部と、
前記ラッチ部と前記プラテン支持部材との係合の解除により前記ロックが解除された際に、前記プラテンローラー側に移動する押出部材により前記プラテン支持部材を押圧して前記挟持可能な位置から前記一側方側に移動させるイジェクト部と、
を有する、
医療用測定装置。
【請求項４】
前記イジェクト部の前記押出部材は棒状材であり、一端部が前記プラテン支持部材に押圧されて、前記プラテンローラーが前記挟持可能な位置に位置した際に、他端部の移動により、前記プラテンローラーが前記挟持可能な位置に位置することを検知するセンサを有する、
請求項３記載の医療用測定装置。
【請求項５】
前記印刷ヘッド及び前記プラテンローラーが前記記録紙を挟持可能な位置までの前記記録紙の搬送経路において前記記録紙の第１面に当接して前記記録紙をガイドする第１ガイド部と、
前記第１ガイド部の下方に設けられ、前記搬送経路において前記記録紙の第２面に当接して前記記録紙をガイドするテンション用ガイド部材と、
を有し、
前記第１ガイド部及び前記テンション用ガイド部材は、前記記録紙が前記テンション用ガイド部材との当接によって前記第１面側に張り出しかつ前記第１ガイド部との当接によって前記第２面側に張り出すように、前記装置本体及び前記移動体に配置されている、
請求項１から４のいずれかに記載の医療用測定装置。
【請求項６】
前記テンション用ガイド部材の下方に、前記装置本体に配置され、且つ、前記印刷ヘッド及び前記プラテンローラーが前記記録紙を前記挟持可能な位置までの前記記録紙の搬送経路において、前記記録紙の第１面に当接して前記記録紙をガイドする第２ガイド部を更に有し、
前記テンション用ガイド部材は、前記第１ガイド部及び前記第２ガイド部の間に配置され、前記記録紙が前記テンション用ガイド部材との当接によって前記第１面側に張り出しかつ前記第１ガイド部及び前記第２ガイド部との当接によって前記第２面側に張り出している、
請求項５に記載の医療用測定装置。
【請求項７】
前記第１ガイド部は、前記記録紙の幅方向へのずれを防ぐガイドリブを有する、
請求項５記載の医療用測定装置。
【発明の詳細な説明】
【技術分野】
【０００１】
本発明は、医療用測定装置に関し、特に、心電図等の生体情報を連続紙等の記録紙に記録する医療用測定装置に関する。
【背景技術】
【０００２】
従来、特許文献１に示すような運動負荷心電図検査システムでは、トレッドミルやエルゴメーター等を使用して計測された負荷心電図は、生体情報処理装置に入力される。このシステムにおける生体情報処理装置では、キーボード等の操作部やディスプレイが配置される装置天面にレコーダーが一体に設けられ、取得した負荷心電図の計測結果を、折畳紙やロール紙等の連続紙（記録紙）に記録している。
【０００３】
このような心電図を連続紙に記録するレコーダーとしては、例えば、特許文献２に示すように、サーマルヘッドとプラテンローラーとを有する印字部の下方に連続紙を配置する構成が知られている。このレコーダーでは、下方から搬送される連続紙を印字部のサーマルヘッドとプラテンローラーとが挟持しつつ、心電図を印刷してレコーダーの外部に排出する。排出された連続紙は、操作者の医療従事者に視認されつつ、生体情報処理装置の側面に取り付けられる籠等の収容容器に順次収容される。
【０００４】
ところで、生体情報処理装置において印刷に先立って折畳紙をレコーダーにセットする場合、ユーザーによる手作業で行われる。このセット作業は、先ず、ユーザーがレコーダーの下面に折畳紙を配置し、この折畳紙を一端側から、レコーダーの下面に設けられた給紙口を通してレコーダー内部へと差し込む。次に、ユーザーが折畳紙の一端を手で持ってプラテンローラーとサーマルヘッドとの間に挿入して印刷位置に配置した後、プラテンローラーとサーマルヘッドとによって挟持させる。このため、特許文献１では、プラテンローラーとサーマルヘッドとの狭い間に折畳紙を配置する必要があり、手間がかかる。
【０００５】
これに対して、特許文献３に示すように、記録紙とサーマルヘッドとを平行に配置したマガジン部に開閉可能に取り付けたカバーに、サーマルヘッドに当接可能なプラテンローラーを回転可能に取り付けたレコーダーの構成が知られている。カバーは、一端部を、マガジン部に、軸部を介して回動自在に取りつけられており、プラテンローラーはサーマルヘッド側の他端部側に取り付けられている。カバーは、他端部を上下方向に移動させることで開閉し、これに伴い、プラテンローラーをサーマルヘッドから離間させて、両者間への記録紙のセットを容易に行うことができる。
【先行技術文献】
【特許文献】
【０００６】
【特許文献１】特開２０１３−１７３０４３号公報
【特許文献２】特開平９−３０９２３７号公報
【特許文献３】実開平４−７０４９号公報
【発明の概要】
【発明が解決しようとする課題】
【０００７】
ところで、生体情報計測装置のディスプレイは、ユーザーが視認し易くするように、装置天面上で、色々な方向に表示画面を向けたり、表示画面の位置を変更したりできるように備えられている。一般的に、生体情報計測装置の使用時におけるディスプレイは、装置天面上に配置されて、その画面を確認されることが多い。
このような生体情報計測装置の装置天面に、特許文献３の構成のレコーダーを設ける場合、記録紙をセットする際にカバーの他端部を上側に持ち上げる必要があるため、ディスプレイが生体情報計測装置の装置天面の上方に位置していると、このディスプレイと干渉し、そのセット作業に手間がかかるという問題がある。また、この構成においてディスプレイが干渉しないような構成にする場合、例えば、カバーの開動作に連動して、ディスプレイが干渉しない位置に移動する構成にする場合、装置本体が複雑化するという問題がある。
【０００８】
本発明はかかる点に鑑みてなされたものであり、装置構成を複雑化することなく、記録紙を容易に且つ良好にセットして安定して印刷できる医療用測定装置を提供することを目的とする。
【課題を解決するための手段】
【０００９】
本発明の医療用測定装置の一つの態様は、
測定した生体情報を記録紙に印刷する医療用測定装置において、
装置本体に、下方から導入される記録紙の幅方向に沿って配置された印刷ヘッドと、
前記印刷ヘッドに対して前記装置本体の一側方で対向するとともに前記印刷ヘッドに接触離間自在に配置され、前記印刷ヘッドとの間に前記記録紙を挟んだ状態で回転することで、前記印刷ヘッドにより前記生体情報が印刷された前記記録紙を送り出すプラテンローラーと、
を有し、
前記生体情報が印刷された前記記録紙が排出される天面を有し、前記装置本体に対して前記一側方にスライド移動自在に設けられた移動体を備え、
前記プラテンローラーは、前記移動体に設けられ、前記移動体の前記一側方への前記スライド移動により、前記天面とともに前記印刷ヘッドから前記一側方にスライドして離間する構成を採る。
【発明の効果】
【００１０】
本発明によれば、装置構成を複雑化することなく、記録紙を容易に且つ良好にセットして安定して印刷できる。
【図面の簡単な説明】
【００１１】
【図１】本発明に係る一実施の形態の医療用測定装置を示す斜視図
【図２】図１に示す医療用測定装置においてライティングテーブル部を開いた状態の内部をライティングテーブル部側から見た斜視図
【図３】図１に示す医療用測定装置においてライティングテーブル部を開いた状態の内部を装置本体側から見た斜視図
【図４】本発明に係る一実施の形態の医療用測定装置を示す平面図
【図５】図４においてディスプレイを装置天面上に重なる位置に位置させた状態を示す平面図
【図６】本発明に係る一実施の形態の医療用測定装置の要部構成を示す図４のＡ−Ａ線断面図
【図７】本発明に係る一実施の形態の医療用測定装置の要部構成を示す図４のＢ−Ｂ線断面図
【図８】図７のロック機構部を示す斜視図
【図９】図６においてライティングテーブル部を開いた状態を示す断面図
【図１０】図７においてライティングテーブル部を開いた状態を示す断面図
【発明を実施するための形態】
【００１２】
以下、本発明の実施の形態について、図面を参照して詳細に説明する。
【００１３】
図１は、本発明に係る一実施の形態の医療用測定装置を示す斜視図であり、図２は、図１に示す医療用測定装置においてライティングテーブル部を開いた状態の内部をライティングテーブル部側から見た斜視図であり、図３は、図１に示す医療用測定装置においてライティングテーブル部を開いた状態の内部を装置本体側から見た斜視図である。また、図４は、本発明に係る一実施の形態の医療用測定装置を示す平面図である。
【００１４】
本実施の形態の医療用測定装置は、トレッドミル或いはエルゴメーター等の負荷装置を用いて運動負荷心電図検査を実施する心電図解析装置に適用した例である。
【００１５】
図１〜図３に示す医療用測定装置１０は、トレッドミル或いはエルゴメーター等の負荷装置に専用ケーブルを介してオンラインで接続される。医療用測定装置１０には、負荷装置を介して、被検者の心電図波形や血圧値等の測定した生体情報が入力され、これら生体情報、主に心電図波形をディスプレイに表示するとともに、記録紙（ここでは「連続紙」）に印刷する。
【００１６】
医療用測定装置１０は、装置本体２０と、ライティングテーブル部（移動体）４０と、ＬＣＤ（Liquid Crystal Display）からなるディスプレイ５０と、操作キー等からなる操作部６０と、記録紙を収容する用紙収容部７０と、ロック機構部９０（図８参照）とを備える。なお、医療用測定装置１０は、レコーダー機能を備えるＰＣ（Personal Computer）端末装置であり、典型的には、例えばデスクトップ型ＰＣ等のような汎用コンピュータにおいても実現可能である。
【００１７】
ディスプレイ５０は、心電図波形、血圧値、心拍数（Heart Rate）及びＳＴレベルトレンド等の生体情報を画面表示する。ディスプレイ５０は、装置本体２０の上部２０ａにアーム２１（図４参照）を介して、医療用測定装置１０の天面１２（本体上面２２を含む、「装置天面」とも称する）上で可動自在となるように取りつけられている。図５は、ディスプレイ５０を装置天面１２上に重なる位置に位置させた状態を示す医療用測定装置の平面図である。図５に示すように、ディスプレイ５０は、医療用測定装置１０を患者の近傍まで移動させた後、装置本体２０の装置天面の上方まで張り出して、当該天面の上方で、操作者、特に、医療従事者が確認し易い位置に表示画面の向きを変更できる。図５では、ディスプレイ５０は、図１の位置から前方（操作部６０側）に移動して、表示画面装置天面１２の一部を構成するライティングテーブル（天面）４２の真上に位置している。
【００１８】
図１〜図３に示す操作部６０は、医師等が操作キーにより運動負荷心電図検査の実施のための入力・設定を行う。例えば、医師等の操作者は、操作キー等を用いて、特に、印刷に関する設定として、取得した生体情報、特に心電図波形を連続紙に印刷するための指示、連続紙における印刷レイアウト、及び、連続紙の出力スピード等を設定する。医療従事者等の操作者によって操作キーにより印刷操作が行われると、医療用測定装置１０は、連続紙（所定の記録紙）に、生体情報（具体的には心電図波形）を印刷する。
【００１９】
装置本体２０の上部２０ａには、ライティングテーブル部４０が、装置本体２０の上部２０ａに対して、装置本体２０の側方に移動自在に取りつけられている。本実施の形態では、ライティングテーブル部４０は、装置本体２０の上部２０ａに、水平方向に（装置天面１２と平行に、と言って良い）にスライド移動自在に取り付けられている（図２及び図３参照）。本実施の形態のライティングテーブル部４０は、箱状（中空の直方体状）に形成され、スライド移動方向に延在する両側壁の摺動部で、装置本体２０の上部２０ａに配置されたレール部２５（図７及び図８参照）を摺動する。レール部２５は、ライティングテーブル部４０の摺動部に対応して水平に延在するように配設されている。装置本体２０の本体上面２２は、ライティングテーブル部４０の上面（天面）であるライティングテーブル４２とともに装置天面１２を構成する。本体上面２２は、ライティングテーブル４２と面一で構成されていることが好ましい。
【００２０】
ライティングテーブル部４０は、装置本体２０の上部２０ａを上面側から切り欠くように形成されて開口する凹状部２３（凹状に切り欠かれた部分）に配置される。
【００２１】
ライティングテーブル部４０は、装置本体２０内に配置される用紙収容部７０の上方に位置し、用紙収容部７０のカバーとしても機能し、用紙収容部７０を上方で覆うように配置される。例えば、図３に示すように、ライティングテーブル部４０をスライド移動させると、凹状部２３内において用紙収容部７０が外部に露出し、用紙収容部７０に連続紙（ここでは折畳紙とする）ＬＰが収容されていれば、連続紙（折畳紙）ＬＰが露出する。ライティングテーブル部４０は装置本体２０に対して移動することにより、装置本体２０を開閉可能、つまり、装置本体２０の凹状部２３を開閉可能となっている。
【００２２】
ライティングテーブル４２における装置本体２０側の一辺部４２ａと、これに対向する装置本体２０の上部の対向辺部との間に、記録部により印刷された連続紙ＬＰを排出するスリット状の排紙口１４が形成される。なお、ライティングテーブル４２の一辺部４２ａは、連続紙ＬＰをライティングテーブル４２上に好適に案内するために下方に傾斜している。
【００２３】
ライティングテーブル４２は、印刷時において、排紙口１４に隣接して配置されたフラット面であり、連続紙ＬＰ（図３参照）は、ライティングテーブル４２上を通過するように排紙口１４から排出される。ライティングテーブル４２は、上面で連続紙ＬＰ等の記録紙に筆記しやすいような硬質の材料であり、且つ、摺動する連続紙ＬＰにより静電気が発生しにくい材料、例えば、ステンレス等の金属材料により構成される。操作者は、連続紙ＬＰがライティングテーブル４２上を通過する際に、ライティングテーブル４２上の連続紙に記録された生体情報（特に、心電図波形）を確認しつつ、ライティングテーブル４２上で連続紙ＬＰに、必要に応じて手書き記入できる。
【００２４】
なお、装置天面１２において形成されるスリット状の排紙口１４の長手方向の長さ、つまり、排紙方向と直交する方向の長さを、ここでは、用紙幅２９７ｍｍに対応させた長さにしている。また、排紙口１４は、アタッチメントの使用により用紙幅２９７ｍｍまでの連続紙を排出可能に形成されている。よって、医療用測定装置１０は、ディスプレイ５０に表示される心電図波形、血圧値等の生体情報を、幅２９７ｍｍの連続紙、つまり、Ａ４縦の連続紙に印刷（記録）して、排紙口１４から出力できる。なお、連続紙に記録される生体情報は、心電図波形、血圧値に加えて、心拍数（Heart Rate）、ＳＴレベルトレンド等を含めてもよい。
【００２５】
ライティングテーブル部４０の一方の側部４０ａ（図６参照）側（サーマルヘッド３４側）には回転するプラテンローラー３２と、テンション用ガイド部材８２とが取り付けられている。なお、ライティングテーブル部４０の他側部側（側方への移動方向側）の側面には、ライティングテーブル部４０を移動方向に引き出して移動させ易くするための取っ手口４５（図２および図６参照）が形成されている。
【００２６】
プラテンローラー３２は、連続紙ＬＰの幅方向（サーマルヘッド３４の長手方向と言ってもよい）に延在した部材である。プラテンローラー３２の長さは、例えば、用紙幅２９７ｍｍに対応させた長さであり、用紙幅２９７ｍｍよりも長い。プラテンローラー３２は、サーマルヘッド３４に対して接触離間自在に配置されており、サーマルヘッド３４との間に連続紙（記録紙）を挟んだ状態で回転駆動する。プラテンローラー３２は、例えば、ライティングテーブル部４０に配設されたモータ４６（図６参照）等の駆動部により回転駆動するように構成される。プラテンローラー３２は、ライティングテーブル部４０においてサーマルヘッド３４側に突出し、且つ、凹状部２３内に移動可能な両側壁間に回動自在に配置されている。プラテンローラー３２は、後述するプラテン支持部材９１（図７及び図８参照）によりライティングテーブル部４０の両側壁に取り付けられている。
【００２７】
一方、装置本体２０の上部２０ａには、プラテンローラー３２と対向する位置には、サーマルヘッド（印刷ヘッド）３４が取り付けられ、テンション用ガイド部材８２と対向する位置に搬送ガイド部８４とが取り付けられている。これらプラテンローラー３２とサーマルヘッド３４とにより記録部（印刷部）を構成する。また、テンション用ガイド部材８２と搬送ガイド部８４とにより、下方から給紙される記録紙（ここでは、連続紙ＬＰ）を記録部に好適に案内する案内搬送経路を構成する。
【００２８】
印刷時には、プラテンローラー３２とサーマルヘッド３４との間に、用紙収容部７０から案内搬送経路を介して案内される記録紙（連続紙ＬＰ）が挟持される。その状態でプラテンローラー３２が回転しかつサーマルヘッド３４が動作することにより、記録紙（連続紙ＬＰ）に心電図波形等が印刷され、排紙口１４からライティングテーブル４２上に排出される。なお、プラテンローラー３２及びテンション用ガイド部材８２は、ライティングテーブル部４０に取り付けられているので、ライティングテーブル部４０が装置本体２０に対してスライド移動する、つまり、ライティングテーブル部４０を開いた状態にすると、ライティングテーブル部４０の移動に伴い、サーマルヘッド３４、搬送ガイド部８４から水平に離れる方向に移動する。
【００２９】
図６は、本発明に係る一実施の形態の医療用測定装置の要部構成を示す図４のＡ−Ａ線断面図である。なお、図６では、医療用測定装置１０に記録可能にセットした状態の連続紙ＬＰも図示する。
【００３０】
図６に示すように、装置本体２０の上部２０ａにおいて、サーマルヘッド３４は、ライティングテーブル部４０の一方の側部に対向する内壁部分の上方に配置されている。なお、サーマルヘッド３４が配置される上部２０ａにおける内壁部分は、凹状部２３の一側部を規定している。
【００３１】
サーマルヘッド３４は、プラテンローラー３２とともに挟持する連続紙ＬＰの幅方向に沿って、延在する。サーマルヘッド３４は、バネ等の付勢部材３６を介して、プラテンローラー３２側に付勢されている。これにより、サーマルヘッド３４は、プラテンローラー３２と互いに押圧しつつ接触している。
【００３２】
上部２０ａにおいて、サーマルヘッド３４の上部には、サーマルヘッド３４側から排出される連続紙ＬＰを、ライティングテーブル４２側に排出するように規制してガイドする規制部材３７が設けられている。
【００３３】
規制部材３７の先端は、サーマルヘッド３４に接触するプラテンローラー３２の上方に配置され、連続紙ＬＰの排出方向を規制するために湾曲した下面を、プラテンローラー３２とサーマルヘッド３４のニップ部Ｎ１の上方に位置させている。これにより、プラテンローラー３２とサーマルヘッド３４との間から排出される連続紙ＬＰは、規制部材３７の下面に沿ってライティングテーブル４２側に案内される。
【００３４】
プラテンローラー３２及びサーマルヘッド３４から構成される記録部の下方位置には、搬送ガイド部８４が設けられている。
【００３５】
搬送ガイド部８４は、記録部の真下に設けられる第１ガイド部８４２と、第１ガイド部８４２の下方に、第１ガイド部８４２から離間して設けられる第２ガイド部８４４と、を有する。
【００３６】
第１ガイド部８４２及び第２ガイド部８４４は、それぞれ連続紙の幅方向（プラテンローラー３２の軸方向、或いはサーマルヘッド３４の長手方向と言ってもよい）に延在した部材であり、連続紙ＬＰを記録部の方向に搬送するようにガイドする。
【００３７】
第１ガイド部８４２は、連続紙ＬＰとの当接面がプラテンローラー３２を挟んで記録部のニップ部Ｎ１とは逆側になるような位置に配置されている。図６の例の場合には、ニップ部Ｎ１がプラテンローラー３２の右側となっているので、第１ガイド部８４２は、連続紙との当接面がプラテンローラー３２よりも左側となる位置に配置されている。
【００３８】
第２ガイド部８４４は、連続紙ＬＰとの当接面がプラテンローラー３２を挟んで記録部のニップ部Ｎ１とは逆側の位置で、更に、第１ガイド部８４２の連続紙ＬＰとの当接面よりもニップ部Ｎ１とは更に離れるような位置に配置されている。図６の例の場合には、第２ガイド部８４４は、連続紙ＬＰとの当接面が、第１ガイド部８４２の当接面よりも左側となる位置に配置されている。
【００３９】
搬送ガイド部８４の両端位置（連続紙ＬＰの幅方向で離間する両側壁）、つまり、第１ガイド部８４２と第２ガイド部８４４の両端位置には、案内する連続紙ＬＰの位置ずれを防ぐガイドリブ８６が設けられている（図２及び図６参照）。
【００４０】
また、ライティングテーブル部４０が、凹状部２３に位置した記録可能な状態において、第１ガイド部８４２と第２ガイド部８４４との間には、テンション用ガイド部材８２が配置される。
【００４１】
このテンション用ガイド部材８２は、連続紙ＬＰの幅方向（プラテンローラー３２の軸方向、或いはサーマルヘッド３４の長手方向と言ってもよい）に延在した部材であり、例えばアルミニウム等により構成される。テンション用ガイド部材８２は、第１ガイド部８４２の下方でかつ第２ガイド部８４４の上方でガイドリブ８６間に位置するように、ライティングテーブル部４０に取り付けられている。テンション用ガイド部材８２は、第２ガイド部８４４から第１ガイド部８４２の方向に搬送される連続紙ＬＰをガイドする。
【００４２】
テンション用ガイド部材８２は、図６で見た場合に、連続紙との当接面（つまり曲面８２ａの連続紙ＬＰとの当接面）が第１ガイド部８４２及び第２ガイド部８４４の連続紙ＬＰとの当接面よりも右側となるような位置に配置されている。これにより、図６に示す用紙収容部７０から上方に導出される連続紙ＬＰからも分かるように、用紙収容部７０に収容されて記録部に案内される連続紙ＬＰは、先ず第２ガイド部８４４によって左方向に付勢される。次に、テンション用ガイド部材８２によって、右側に付勢され、次いで、第１ガイド部８４２によって左方向に付勢された後に、プラテンローラー３２とサーマルヘッド３４との間のニップ部Ｎ１に到達するようになる。
【００４３】
図７は、本発明に係る一実施の形態の医療用測定装置の要部構成を示す図４のＢ−Ｂ線断面図である。図８は、図７のロック機構部を示す斜視図である。
【００４４】
図７に示すように、医療用測定装置１０は、装置本体２０に対しスライド移動することで開閉するライティングテーブル部４０をロックするロック機構部９０を有する。
【００４５】
ロック機構部９０は、ライティングテーブル部４０に設けられるプラテン支持部材９１と、装置本体２０に設けられたラッチ部９２と、装置本体２０に設けられるイジェクト部９３と、開閉検知スイッチ（センサー）９８と、を有する。
【００４６】
プラテン支持部材９１は、プラテンローラー３２を両端側から回動自在に支持する支持板９１２と、イジェクト部９３に当接可能な当接部９１４と、ラッチ部９２に係合する係合爪９１６とを有する。プラテン支持部材９１は、支持板９１２、当接部９１４及び係合爪９１６を一体に形成した一つの部品として構成されている。これにより、プラテン支持部材９１では、支持板９１２が回転自在に支持するプラテンローラー３２の位置と、ラッチ部９２に係合する係合爪９１６の位置と、さらには、当接部９１４の位置とを予め規定できる。
【００４７】
支持板９１２は、ライティングテーブル部４０の両側壁におけるサーマルヘッド３４側の端部で、両側壁間に介設されるプラテンローラー３２の軸を回動自在に支持するように固定されている。なお、図８では、支持板９１２が支持するプラテンローラーの軸の位置を符号３２で示している。
【００４８】
支持板９１２に連続して当接部９１４が、イジェクト部９３に対向する位置に、当接部９１４の面状部分を対向させて設けられている。
【００４９】
係合爪９１６は、当接部９１４の下部に下方に突設されており、ライティングテーブル部４０を閉じた位置で、ラッチ部９２と係合し、イジェクト部９３によりライティングテーブル部４０が開く方向へのスライド移動を規制する。係合爪９１６において閉方向側の外面はテーパ面９１６ａとなっている。
【００５０】
ラッチ部９２は、装置本体２０側に、プラテンローラー３２の軸方向、或いはサーマルヘッド３４の長手方向に延在する軸部９２２を中心に回動自在に取りつけられている。ラッチ部９２は、係合爪９１６との係合位置に付勢された状態で配置されている。ラッチ部９２の先端側の外面は湾曲面９２ａとなっている。軸部９２２は、図４に示す解除スイッチ９９の操作によって回動自在に設けられる。この軸部９２２の回動に伴い、ラッチ部９２は軸部９２２を中心に下方に変位して、係合爪９１６との係合位置から、係合解除位置に移動する。例えば、解除スイッチ９９のスライドに連動して上下動する棒材を上下方向に延在するように配置し、その棒材の先端部に、軸部９２２を、棒材の上下動に連動して回転するように取り付けた構成にしてもよい。
【００５１】
イジェクト部９３は、装置本体２０側から、プラテン支持部材９１の当接部９１４に向かって進退動自在に設けられるプランジャ部９３２と、プランジャ部９３２を、当接部９１４に向かって突出するように付勢する付勢部材９３４とを有する。
【００５２】
プランジャ部９３２は、装置本体２０のフランジ部２６に貫通した状態で、軸方向、つまり、進退方向に移動自在に取りつけられている。なお、プランジャ部９３２は、その外周に、フランジ部２６を挟む位置に、プランジャ部９３２自体の進退方向（軸方向）の移動範囲を規制するフランジ状の規制ストッパーが張り出して設けられている。この規制ストッパーにより、プランジャ部９３２は装置本体２０のフランジ部２６から抜けないようになっている。プランジャ部９３２には、当接部９１４に当接する一端部９３２ａ側とフランジ部との間にコイルばねである付勢部材９３４が外挿されており、当接部９１４により一端部９３２ａが後退側（フランジ部２６側）に移動されるロック状態では、フランジ部２６から逆方向（後退側）に他端部９３２ｂが突出する。
【００５３】
プランジャ部９３２自体の移動によってフランジ部２６から逆方向に突出する他端部９３２ｂは、ライティングテーブル部４０の開閉を検知する開閉検知スイッチ９８の可動端子９８２をスイッチ本体側の接触端子に押圧して接触させる。これにより、両端子が導通（スイッチオン状態）することにより、開閉検知スイッチ９８は、ライティングテーブル部４０が閉じている状態であることを検出する。なお、ロックが解除されれば、プランジャ部９３２の一端部９３２ａは、付勢部材９３４によりライティングテーブル部４０側に移動して、これに伴い他端部９３２ｂも移動して開閉検知スイッチ９８から離れる。これにより、可動端子９８２への押圧が開放されて可動端子９８２は、スイッチ本体側の接触端子から離間して導通状態が解除（スイッチオフ）される。
【００５４】
次に、医療用測定装置１０への連続紙ＬＰのセットについて説明する。図９は、図６においてライティングテーブル部を開いた状態を示す断面図であり、図１０は、図７においてライティングテーブル部を開いた状態を示す断面図である。
【００５５】
図１に示す状態で用紙収容部７０内に連続紙（ここでは折畳紙）ＬＰが無い場合、或いは、ライティングテーブル部４０が閉状態のときに記録部に連続紙ＬＰをセットする場合、解除スイッチ９９（図４参照）を操作する。すると、軸部９２２の回動に伴い、ラッチ部９２が係合爪９１６との係合位置から後退し、係合爪９１６との係合状態が、つまりライティングテーブル部４０の閉状態のロックが解除される（図７及び図１０参照）。この係合状態の解除により、ラッチ部９２と係合爪９１６との係合によって、付勢部材９３４の付勢力に抗して後退位置に配置されていたプランジャ部９３２は、付勢部材９３４の付勢力により、後退位置からライティングテーブル部４０側に移動する。これにより、プランジャ部９３２の一端部９３２ａは、当接部９１４を押圧し、この押圧により、図９に示すように、ライティングテーブル部４０は、装置本体２０の他側方（各図面では左側）に平行移動し、凹状部２３内を外部に露出させる。このとき、プラテンローラー３２は、ライティングテーブル部４０の移動方向（一側方）に移動して、サーマルヘッド３４から離間する。また、テンション用ガイド部材８２は、搬送ガイド部８４から離間する。なお、ライティングテーブル部４０の移動が足りないときは、操作者がライティングテーブル部４０を他側方に移動する。
【００５６】
このようにライティングテーブル部４０が開いた状態では凹状部２３が外部に露出するため、連続紙ＬＰを、装置天面１２側から凹状部２３の底部に配置される用紙収容部７０内に容易に供給できる。また、ライティングテーブル部４０が開いた状態で、連続紙ＬＰの一端を上方に引いて、搬送ガイド部８４の表面、具体的には、第１及び第２ガイド部８４２、８４４の湾曲する表面上を通り、且つ、ガイドリブ８６間に位置させる。続いて、一端を上方に引き上げて、装置天面１２を超える位置まで、或いは、装置天面１２近傍まで位置させる。
【００５７】
そして、ライティングテーブル部４０を閉状態になるように移動させる。すなわち、ライティングテーブル部４０の一端面を、装置本体２０の上部２０ａにおけるサーマルヘッド３４側に移動させる。すると、プラテンローラー３２は、互いに押圧しつつ接触するように構成されたサーマルヘッド３４とで連続紙ＬＰを挟む（図６参照）。これと同じくして、テンション用ガイド部材８２は、第１ガイド部８４２及び第２ガイド部８４４とに架け渡されるように配置された連続紙ＬＰを押圧しつつ、第１ガイド部８４２及び第２ガイド部８４４の間に配置される。これにより、テンション用ガイド部材８２は、搬送ガイド部８４とともに、記録部下方であって搬送経路上で連続紙ＬＰを当該連続紙ＬＰにテンションをかけた状態で位置させる。これと同時に、プラテン支持部材９１もライティングテーブル部４０とともに移動し、係合爪９１６のテーパ面９１６ａが、ラッチ部９２の湾曲面９２ａに摺動する。また、当接部９１４がプランジャ部９３２を、付勢部材９３４の付勢力に抗してフランジ部２６側に後退させて、プランジャ部９３２の他端部９３２ｂは、開閉検知スイッチ９８の可動端子９８２を押圧する（図７及び図８参照）。
【００５８】
係合爪９１６がラッチ部９２に係合することによって、ライティングテーブル部４０は閉じ状態でロックされ、これと同時に、開閉検知スイッチ９８の端子同士が導通して、閉じ状態である旨を制御部に出力し、医療用測定装置１０自体でもライティングテーブル部４０が閉じた状態を検知できる。
【００５９】
このように、医療用測定装置１０は、プラテンローラー３２の両端部を支持するとともにライティングテーブル部４０に固定してプラテンローラー３２をライティングテーブル部４０に取り付けるプラテン支持部材９１と、装置本体２０側に設けられ、プラテンローラー３２がニップ部（「ニップ位置」とも称し、「挟持可能な位置」に相当する）Ｎ１に位置した際にプラテン支持部材９１に係合可能なラッチ部９２と、ラッチ部９２とプラテン支持部材９１との係合の解除によりロックが解除された際に、プラテンローラー側に移動するプランジャ部（押出部材）９３２によりプラテン支持部材９１を押圧してニップ部（挟持可能な位置）から一側方側に移動させるイジェクト部９３と、を有する。ロック機構部９０は、プラテンローラー３２がサーマルヘッド３４と記録紙ＬＰをニップ部（挟持可能な位置）でプラテンローラー３２を装置本体２０にロックする。
すなわち、プラテン支持部材９１が、プラテンローラー３２を支持する支持板９１２と、ラッチ部９２に係合してロックする係合爪９１６とを一体に有した構成であるので、プラテンローラー３２をサーマルヘッド３４に接触する所望の印刷位置（ニップ部Ｎ１でありニップ部）で好適にロックして保持できる。よって、生体情報の記録位置、つまり、印刷位置を安定させることができる。
【００６０】
また、イジェクト部９３のプランジャ部９３２は棒状材であり、一端部９３２ａがプラテン支持部材９１に押圧されて、プラテンローラー３２がニップ部Ｎ１に位置した際に、他端部９３２ｂの移動により、プラテンローラー３２がニップ部Ｎ１に位置することを検知する開閉検知スイッチ（センサー）９８を有する。すなわち、イジェクト部９３のプランジャ部９３２の移動により、開閉検知スイッチ９８の可動端子９８２が可動して、開閉検知スイッチ９８のオンオフを行うので、イジェクト部９３と、開閉検知スイッチ９８により開閉を検知する機構とを別に備える構成と比較して、部品点数を減少して簡易な構成にすることができる。
【００６１】
また、プラテンローラー３２をサーマルヘッド３４から離間させるとともに、記録時（印刷時）に連続紙ＬＰにテンションを付与するテンション用ガイド部材８２は、ライティングテーブル部４０側に取り付けることにより、搬送ガイド部８４と分離されている。これにより、記録部（プラテンローラー３２とサーマルヘッド３４との間）及び、搬送経路（テンション用ガイド部材８２と搬送ガイド部８４との間）に手を入れやすくなり、用紙のセット、或いは、記録部及び搬送経路への給紙を行いやすい。
【００６２】
本実施の形態の医療用測定装置１０は、測定した心電図等の生体情報を心電図波形として記録紙ＬＰに印刷する医療用測定装置である。医療用測定装置１０は、装置本体２０に、下方から導入される記録ＬＰの幅方向に沿って配置されたサーマルヘッド（印刷ヘッド）３４と、サーマルヘッド３４に対して装置本体２０の一側方で対向するとともにサーマルヘッド３４に接触離間自在に配置されたプラテンローラー３２と、を有する。プラテンローラー３２は、サーマルヘッド３４との間に記録紙ＬＰを挟んだ状態で回転することで、サーマルヘッド３４により生体情報が印刷された記録紙ＬＰを送り出す。更に、生体情報が印刷された記録紙ＬＰが排出されるライティングテーブル（天面）４２を有し、装置本体２０に対して一側方に移動自在に設けられたライティングテーブル部（移動体）４０を備える。プラテンローラー３２は、ライティングテーブル部４０に設けられ、ライティングテーブル部４０の一側方への移動により、ライティングテーブル（天面）４２とともにサーマルヘッド３４から一側方に離間する。また、ライティングテーブル４２は、フラットであることが好ましい。また、ライティングテーブル部４０は、装置本体２０に対して水平に延在するレール部２５を介して、スライド移動自在に設けられていてもよい。
【００６３】
このように、医療用測定装置１０によれば、装置構成を複雑化することなく、ライティングテーブル部４０を水平方向で一側方に移動することにより、記録紙を容易に且つ良好にセットして安定して印刷できる。よって、使用時において頻繁に装置天面１２上にディスプレイ５０が配置される医療用測定装置１０であっても、装置本体２０の用紙収容部７０に、連続紙ＬＰをセットする際に、装置天面１２上のディスプレイ５０に干渉することなく、ライティングテーブル部４０を側方にスライド移動するだけで、記録部及び搬送経路に連続紙ＬＰをセットできるとともに、凹状部２３内に連続紙をセットできる。また、使用時において、装置天面１２の排紙口１４から、生体情報が記録された連続紙ＬＰが、ライティングテーブル４２上に排紙され、ここで、必要に応じて手書き記入される。
【００６４】
また、本実施の形態においては、サーマルヘッド３４及びプラテンローラー３２のニップ部（挟持可能な位置）Ｎ１までの記録紙ＬＰの搬送経路において、記録紙ＬＰの第１面に当接して記録紙ＬＰをガイドする第１ガイド部８４２と、第１ガイド部８４２の下方に設けられ、搬送経路において記録紙ＬＰの第２面に当接して記録紙ＬＰをガイドするテンション用ガイド部材８２を有する。また、第１ガイド部８４２及びテンション用ガイド部材８２は、記録紙ＬＰがテンション用ガイド部材８２との当接によって第１面側に張り出しかつ第１ガイド部との当接によって第２面側に張り出すように、装置本体２０及びライティングテーブル部（移動体）４０に配置されるようにした。テンション用ガイド部材８２の下方に、装置本体２０に配置され、且つ、印刷ヘッド及びプラテンローラーの挟持可能な位置までの記録紙ＬＰの搬送経路において記録紙ＬＰの第１面に当接して記録紙ＬＰをガイドする第２ガイド部を更に有するようにした。テンション用ガイド部材８２は、第１ガイド部８４２及び第２ガイド部８４４の間に配置され、記録紙ＬＰがテンション用ガイド部材８２との当接によって第１面側に張り出しかつ第１ガイド部８４２及び第２ガイド部８４４との当接によって第２面側に張り出している。
【００６５】
すなわち、用紙収容部７０から記録部までの搬送経路において連続紙ＬＰの第１面に当接して連続紙ＬＰをガイドする第１ガイド部８４２と、第２ガイド部８４２の下方の第２ガイド部８４４とを設けて、これら第１ガイド部８４２及び第２ガイド部８４４の間に、テンション用ガイド部材８２を配置して、搬送経路において記録紙の第２面に当接させて記録紙をガイドするようにした。そして、連続紙がテンション用ガイド部材８２との当接によって第１面側に張り出しかつ、第１及び第２ガイド部８４２、８４４との当接によって第２面側に張り出すように、第１及び第２ガイド部８４２、８４４及びテンション用ガイド部材８２を配置した。
【００６６】
これにより、ライティングテーブル部４０が閉じた状態では、第１及び第２ガイド部８４２、８４４と、第１及び第２ガイド部８４２，８４４の間に位置するテンション用ガイド部材８２とによってジグザグ（または蛇行形状と言ってもよい）の搬送経路（所謂、３点ローラー方式の経路）を形成するようにした。このようにしたことで、プラテンローラー３２によって引っ張られた連続紙ＬＰが搬送経路全体において張力を得ることができ、搬送経路での連続紙ＬＰの撓みを低減できる。
【００６７】
また、連続紙ＬＰは、搬送ガイド部８４に形成されたガイドリブ８６の内側に当接し、これにより幅方向への蛇行が防止される。特に、本実施の形態では、記録紙は張力がかかった状態でガイドリブ８６に当接するので、ガイドリブ８６による蛇行の抑制効果を高めることができる。
【００６８】
また、本実施の形態の医療用測定装置１０では、レール部２５を介してライティングテーブル部４０を装置本体２０の上部２０ａにスライド自在に設けた構成としたが、これに限らず、ライティングテーブル部４０を回転させることにより、装置本体２０の上部２０ａに対して側方に移動するように構成してもよい。この場合、ライティングテーブル部４０の回転中心は、医療用測定装置のかなり下方に位置させた構成となり、ライティングテーブル部４０の移動動線も、水平に延びる直線に近似した円弧状に構成することが好ましい。
【００６９】
なお、本実施の形態の医療用測定装置は、運動負荷心電図検査を実施する心電図解析装置を例に説明したが、これに限らず、心電図等の生体情報を用紙に記録し、記録した用紙が排出される排出面を有する医療用測定装置であれば、どのような装置に適用してもよい。
【００７０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００７１】
以上、本発明の実施の形態について説明した。なお、以上の説明は本発明の好適な実施の形態の例証であり、本発明の範囲はこれに限定されない。つまり、上記装置の構成や各部分の形状についての説明は一例であり、本発明の範囲においてこれらの例に対する様々な変更や追加が可能であることは明らかである。
【産業上の利用可能性】
【００７２】
本発明に係る医療用測定装置は、下方から搬送または導入される記録紙に心電図等の生体情報を印刷する装置に広く適用できる。
【符号の説明】
【００７３】
１０  医療用測定装置
１２  装置天面
１４  排紙口
２０  装置本体
２０ａ  装置本体の上部
２２  本体上面
２３  凹状部
２５  レール部
３２  プラテンローラー
３４  サーマルヘッド（印刷ヘッド）
３６  付勢部材
３７  規制部材
４０  ライティングテーブル部（移動体）
４２  ライティングテーブル（天面）
４２ａ  一辺部
５０  ディスプレイ
６０  操作部
７０  用紙収容部
８２  テンション用ガイド部材
８２ａ  曲面
８４  搬送ガイド部
８６  ガイドリブ
９０  ロック機構部
９１  プラテン支持部材
９２  ラッチ部
９２ａ  湾曲面
９３  イジェクト部
９８  開閉検知スイッチ（センサー）
９９  解除スイッチ
８４２  第１ガイド部
８４４  第２ガイド部
９１２  支持板
９１４  当接部
９１６  係合爪
９１６ａ  テーパ面
９２２  軸部
９３２  プランジャ部
９３２ａ  一端部
９３２ｂ  他端部
９３４  付勢部材
９８２  可動端子
Ｎ１  ニップ部（挟持可能な位置）
【図１】
0006604741.tif 000002
【図２】
0006604741.tif 000003
【図３】
0006604741.tif 000004
【図４】
0006604741.tif 000005
【図５】
0006604741.tif 000006
【図６】
0006604741.tif 000007
【図７】
0006604741.tif 000008
【図８】
0006604741.tif 000009
【図９】
0006604741.tif 000010
【図１０】
0006604741.tif 000011